【手続補正書】
【提出日】平成19年6月13日(2007.6.13)
【手続補正１】
【補正対象書類名】明細書
【補正対象項目名】特許請求の範囲
【補正方法】変更
【補正の内容】
【特許請求の範囲】
【請求項１】
振幅変調信号を受信する電波受信手段と、利得制御用信号を出力する利得制御手段と、前記電波受信手段により受信された振幅変調信号を前記利得制御手段より出力された利得制御用信号に応じて増幅する振幅変調信号増幅手段と、所定周波数の信号を出力する発振手段と、前記振幅変調信号増幅手段より出力された信号を前記発振手段より出力された信号と合成して中間周波信号に変換する周波数変換手段と、この周波数変換手段より出力された中間周波信号を前記利得制御手段より出力された利得制御用信号に応じて増幅する中間周波信号増幅手段と、この中間周波信号増幅手段より出力された信号を検波して検波信号を出力する検波手段とを備えた電波受信装置において、
前記利得制御手段は、
前記検波信号を反転する反転手段と、
この反転手段による反転後の信号と前記中間周波信号増幅手段より出力された信号とを積算する積算手段と、
この積算手段による積算後の信号の信号レベルに応じて前記利得制御用信号を生成する生成手段と、
を有することを特徴とする電波受信装置。
【請求項２】
振幅変調信号を受信する電波受信手段と、利得制御用信号を出力する利得制御手段と、前記電波受信手段により受信された振幅変調信号を前記利得制御手段より出力された利得制御用信号に応じて増幅する振幅変調信号増幅手段と、所定周波数の信号を出力する発振手段と、前記振幅変調信号増幅手段より出力された信号を前記発振手段より出力された信号と合成して中間周波信号に変換する周波数変換手段と、この周波数変換手段より出力された中間周波信号を前記利得制御手段より出力された利得制御用信号に応じて増幅する中間周波信号増幅手段と、この中間周波信号増幅手段より出力された信号を検波して検波信号を出力する検波手段とを備えた電波受信装置において、
前記検波手段は、前記中間周波信号の周波数と同一且つ同相の一定振幅の基準信号を前記中間周波信号増幅手段より出力された信号に基づいて生成する基準信号生成手段、を有し、
前記利得制御手段は、
前記検波信号を反転する反転手段と、
この反転手段による反転後の信号と前記基準信号とを積算する積算手段と、
この積算手段による積算後の信号と前記中間周波信号増幅手段より出力された信号とを加算する加算手段と、
この加算手段による加算後の信号の信号レベルに応じて前記利得制御用信号を生成する生成手段と、
を有することを特徴とする電波受信装置。
【請求項３】
前記検波手段は、
前記中間周波信号の周波数と同一且つ同相の一定振幅の基準信号を前記中間周波信号増幅手段より出力された信号に基づいて生成する基準信号生成手段と、
前記中間周波信号増幅手段より出力された信号と前記基準信号とを積算する第２積算手段と、
を有し、
前記第２積算手段による積算後の信号を前記検波信号として出力することを特徴とする請求項１又は２の何れか一項に記載の電波受信装置。
【請求項４】
請求項１〜３の何れか一項に記載の電波受信装置と、
この電波受信装置の電波受信手段により受信された振幅変調信号に含まれる標準電波信号に基づいて標準タイムコードを生成するタイムコード生成手段と、
現在時刻を計時する時刻計時手段と、
前記タイムコード生成手段によって生成された標準タイムコードに基づいて、前記時刻計時手段により計時されている現在時刻を修正する修正手段と、
を備えることを特徴とする電波時計。
【請求項５】
請求項１〜３の何れか一項に記載の電波受信装置と、
この電波受信装置の電波受信手段により受信された振幅変調信号に含まれる標準電波信号に基づいて標準タイムコードを生成するタイムコード生成手段と、
このタイムコード生成手段によって生成された標準タイムコードを送信する送信手段と、
を備えることを特徴とする中継器。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
また、請求項３に記載の発明のように、請求項１又は２の何れか一項に記載の電波受信装置において、
前記検波手段は、
前記中間周波信号の周波数と同一且つ同相の一定振幅の基準信号を前記中間周波信号増幅手段より出力された信号に基づいて生成する基準信号生成手段（例えば、図３のキャリア抽出回路６２１）と、
前記中間周波信号増幅手段より出力された信号と前記基準信号とを積算する第２積算手段（例えば、図３の積算器６２２ａ）と、
を有し、
前記第２積算手段による積算後の信号を前記検波信号として出力することとしても良い。
【手続補正５】
【補正対象書類名】明細書
【補正対象項目名】００１７
【補正方法】変更
【補正の内容】
【００１７】
この請求項３に記載の発明によれば、中間周波信号の周波数と同一且つ同相の一定振幅の基準信号と、中間周波数信号を増幅した後の信号とを積算し、積算後の信号を検波信号として出力することができる。
【手続補正６】
【補正対象書類名】明細書
【補正対象項目名】００１８
【補正方法】変更
【補正の内容】
【００１８】
また、請求項４に記載の発明は、電波時計であって、
請求項１〜３の何れか一項に記載の電波受信装置と、
この電波受信装置の電波受信手段により受信された振幅変調信号に含まれる標準電波信号に基づいて標準タイムコードを生成するタイムコード生成手段と、
現在時刻を計時する時刻計時手段と、
前記タイムコード生成手段によって生成された標準タイムコードに基づいて、前記時刻計時手段により計時されている現在時刻を修正する修正手段と、
を備えることを特徴としている。
【手続補正７】
【補正対象書類名】明細書
【補正対象項目名】００１９
【補正方法】変更
【補正の内容】
【００１９】
この請求項４に記載の発明によれば、請求項１〜３の何れか一項に記載の発明と同様の効果を奏する電波時計を実現できる。
【手続補正８】
【補正対象書類名】明細書
【補正対象項目名】００２０
【補正方法】変更
【補正の内容】
【００２０】
また、請求項５に記載の発明は、中継器であって、
請求項１〜３の何れか一項に記載の電波受信装置と、
この電波受信装置の電波受信手段により受信された振幅変調信号に含まれる標準電波信号に基づいて標準タイムコードを生成するタイムコード生成手段と、
このタイムコード生成手段によって生成された標準タイムコードを送信する送信手段と、
を備えることを特徴としている。
【手続補正９】
【補正対象書類名】明細書
【補正対象項目名】００２１
【補正方法】変更
【補正の内容】
【００２１】
この請求項５に記載の発明によれば、請求項１〜３の何れか一項に記載の発明と同様の効果を奏する中継器を実現できる。
【手続補正１０】
【補正対象書類名】明細書
【補正対象項目名】００７６
【補正方法】削除
【補正の内容】
【手続補正１１】
【補正対象書類名】明細書
【補正対象項目名】００７７
【補正方法】削除
【補正の内容】
【手続補正１２】
【補正対象書類名】明細書
【補正対象項目名】００７８
【補正方法】削除
【補正の内容】
【手続補正１３】
【補正対象書類名】明細書
【補正対象項目名】００７９
【補正方法】削除
【補正の内容】
【手続補正１４】
【補正対象書類名】明細書
【補正対象項目名】００８０
【補正方法】削除
【補正の内容】
【手続補正１５】
【補正対象書類名】明細書
【補正対象項目名】００８３
【補正方法】削除
【補正の内容】
【手続補正１６】
【補正対象書類名】明細書
【補正対象項目名】００８４
【補正方法】変更
【補正の内容】
【００８４】
また、請求項３に記載の発明によれば、中間周波信号の周波数と同一且つ同相の一定振幅の基準信号と、中間周波数信号を増幅した後の信号とを積算し、積算後の信号を検波信号として出力することができる。
【手続補正１７】
【補正対象書類名】明細書
【補正対象項目名】００８５
【補正方法】変更
【補正の内容】
【００８５】
更に、請求項４に記載の発明によれば、上述の電波受信装置と同様の効果を奏する電波時計を実現することができるとともに、請求項５に記載の発明によれば、上述の電波受信装置と同様の効果を奏する中継機を実現することができる。
【手続補正１８】
【補正対象書類名】明細書
【補正対象項目名】図面の簡単な説明
【補正方法】変更
【補正の内容】
【図面の簡単な説明】
【図１】
第１の実施の形態における電波時計の回路構成の一例を示す図。
【図２】
電波受信装置の回路構成の一例を示すブロック図。
【図３】
キャリア抽出回路、信号再生回路及びＡＧＣ回路の回路構成の一例を示すブロック図。
【図４】
電波受信装置の処理の流れを示すフローチャート。
【図５】
電波受信装置を流れる各信号の概略波形を示す図。
【図６】
第２の実施の形態におけるキャリア抽出回路、信号再生回路及びＡＧＣ回路の回路構成の一例を示すブロック図。
【図７】
電波受信装置の処理の流れを示すフローチャート。
【図８】
電波受信装置を流れる各信号の概略波形を示す図。
【図９】
第３の実施の形態における中継器の回路構成の一例を示すブロック図。
【図１０】
長波標準電波のタイムコードを示す図。
【符号の説明】
１ 電波時計
１０ ＣＰＵ
２０ 入力部
３０ 表示部
４０ ＲＡＭ
５０ ＲＯＭ
６０ 受信制御部
６１ 受信装置
ＡＮＴ アンテナ
６１１ ＲＦ増幅回路
６１２、６１５、６１７ フィルタ回路
６１３ 周波数変換回路
６１４ 局部発振回路
６１６ ＩＦ増幅回路
６１８、６１９ ＡＧＣ回路
６１８ａ、６１９ａ 反転増幅器
６１８ｂ、６１９ｂ 積算器
６１８ｃ ＡＧＣ検波回路
６１８ｄ ＬＰＦ
６１８ｅ ＡＧＣ電圧生成回路
６１９ｃ 加算器
６２０ 検波回路
６２１ キャリア抽出回路
６２１ａ ＰＤ
６２１ｂ ＬＰＦ
６２１ｃ 発振器
６２２ 信号再生回路
６２２ａ 積算器
６２２ｂ、６２２ｃ ＬＰＦ
７０ タイムコード変換部
８０ 計時回路部
８１ 発振回路部
２ 中継器
【手続補正１９】
【補正対象書類名】図面
【補正対象項目名】図１０
【補正方法】変更
【補正の内容】
【図１０】
2004242157.tif 000001
【手続補正２０】
【補正対象書類名】図面
【補正対象項目名】図１１
【補正方法】削除
【補正の内容】